(57)【特許請求の範囲】
【請求項１】
離間された２つの端部を有し、該２つの端部の一方に該端部の長さの少なくとも一部にわたって実質的に連続して延びる肉厚部（６７）が形成されたウィンドウシェードシート（３１）と、
前記ウィンドウシェードシート（３１）に結合され、該ウィンドウシェードシート（３１）を駆動するために配置された駆動ユニット（４５）と、
前記２つの端部の前記一方に配置され、前記肉厚部（６７）に結合されるアンダーカットされた溝（６６）を含む引出ロッド（５７）と、
を備え、
前記溝（６６）は、その断面が前記肉厚部（６７）に対応し、前記引出ロッド（５７）の長さの少なくとも一部にわたって連続して延び、２つのスロット壁（７０，７１）により規定される溝スロット（６９）と壁（７２）により規定される溝空間（６８）とから構成され、該溝空間（６８）の幅が前記溝スロット（６９）の幅よりも大きく、
前記引出ロッド（５７）は、少なくとも前記溝（６６）の領域で、その断面が相対する２つの引出ロッド部材（５９，６０）から構成され、前記各引出ロッド部材は、前記２つのスロット壁（７０，７１）の一方又は他方と、前記溝空間（６８）の前記壁（７２）の一部と、を含み、前記各引出ロッド部材は、少なくとも前記溝（６６）の領域では、実質的にアンダーカットされていない、ことを特徴とする自動車用ウィンドウシェード。
【請求項２】
前記引出ロッド部材（５９，６０）は、結合された状態で互いに隣接する接合面（７３，７５）を有し、前記溝（６６）から測定された当該接合面の幅が、少なくとも一方の引出ロッド部材（５９，６０）の厚さよりも大きい、ことを特徴とする請求項１に記載の自動車用ウィンドウシェード。
【請求項３】
一方の引出ロッド部材（５９，６０）の幅は、前記溝（６６）から延出し、他方の引出ロッド部材（５９，６０）の対応する側端（６４）まで延びる、ことを特徴とする請求項１に記載の自動車用ウィンドウシェード。
【請求項４】
一方の引出ロッド部材（５９，６０）は、他方の引出ロッド部材（５９，６０）の収容溝（７４）に対応して載置されている、ことを特徴とする請求項１に記載の自動車用ウィンドウシェード。
【請求項５】
前記引出ロッド部材（５９，６０）は、少なくとも定められた位置で互いに一体に結合される、ことを特徴とする請求項１に記載の自動車用ウィンドウシェード。
【請求項６】
前記収容溝（７４）はアンダーカットされていない、ことを特徴とする請求項４に記載の自動車用ウィンドウシェード。
【請求項７】
前記溝空間（６８）は少なくとも概略円形の断面を有する、ことを特徴とする請求項１に記載の自動車用ウィンドウシェード。
【請求項８】
一方の引出ロッド部材（５９，６０）のスロット壁（７０）は、前記溝空間（６８）の壁（７２）の隣接する部分に滑らかに移行する、ことを特徴とする請求項１に記載の自動車用ウィンドウシェード。
【請求項９】
前記引出ロッド部材（５９，６０）は、レーザ溶接、超音波溶接または接着により互いに結合されている、ことを特徴とする請求項１に記載の自動車用ウィンドウシェード。
【請求項１０】
前記ウィンドウシェードシート（３１）は、実質的に、四辺形または三角形形状に切断されている、ことを特徴とする請求項１に記載の自動車用ウィンドウシェード。
【請求項１１】
前記ウィンドウシェードシート（３１）は柔軟である、ことを特徴とする請求項１に記載の自動車用ウィンドウシェード。
【請求項１２】
前記肉厚部（６７）を有する前記２つの端部の前記一方は、湾曲している、ことを特徴とする請求項１に記載の自動車用ウィンドウシェード。
【請求項１３】
引出ロッド（５７）を前記ウィンドウシェードシート（３１）に装着する前に、予め、前記引出ロッド（５７）は、その形状が前記ウィンドウシェードシート（３１）の前記２つの端部の前記一方の形状に対応するように形成されて該端部に固定されている、ことを特徴とする請求項１に記載の自動車用ウィンドウシェード。
【請求項１４】
前記２つの端部の前記一方は、引き出された前記ウィンドウシェードシート（３１）の平面内で凸状に延びて、その曲率半径は該端部に沿って変更される、ことを特徴とする請求項１に記載の自動車用ウィンドウシェード。
【請求項１５】
前記肉厚部（６７）は縁かがりを形成する、ことを特徴とする請求項１に記載の自動車用ウィンドウシェード。
【請求項１６】
前記肉厚部（６７）は、前記ウィンドウシェードシート（３１）の一方の端部にのみ形成されている、ことを特徴とする請求項１に記載の自動車用ウィンドウシェード。
【請求項１７】
前記駆動ユニット（４５）は、巻取シャフトを有する、ことを特徴とする請求項１に記載の自動車用ウィンドウシェード。
【請求項１８】
前記駆動ユニット（４５）は、電気モータ（４７）を有する、ことを特徴とする請求項１に記載の自動車用ウィンドウシェード。
【請求項１９】
前記駆動ユニット（４５）は、少なくともばねまたはばね駆動部（４６）を有する、ことを特徴とする請求項１に記載の自動車用ウィンドウシェード。
【請求項２０】
収納位置と引出位置との間で動作する際、前記引出ロッド（５７）を案内するための案内装置（５１，５２）を備える、ことを特徴とする請求項１に記載の自動車用ウィンドウシェード。
【発明の詳細な説明】
【技術分野】
【０００１】
本発明は、自動車用ウィンドウシェードに関する。
【背景技術】
【０００２】
自動車の後部側面扉の側部窓用ウィンドウシェードは、特許文献１から公知である。
【０００３】
このウィンドウシェードは、回転可能に扉内部に支持された巻取シャフトを含み、扉内では、柔軟性のあるウィンドウシェードシートの一端が巻取シャフトに固定されている。ウィンドウシェードシートの他端を安定に保持するために、当該他端は、引出ロッドに結合されている。弾性的で可撓性があり、引出ロッドに装着される２つのスラスト要素が、電気モータにより扉から窓上端部の方向に移動され、これにより、ウィンドウシェードシートを窓の前面に引き上げる。巻取シャフトをウィンドウシェードシートの巻取方向に付勢するばね駆動部が、ウィンドウシェードシートを巻取シャフトに巻き取るために配置される。
【特許文献１】欧州特許出願公開第１１４９７１８号明細書
【発明の開示】
【発明が解決しようとする課題】
【０００４】
この公報の図面は、窓全体に移動するウィンドウシェードシートの端部が、窓の上端部に対応する形状に概略構成されていることを示唆する。その結果、引出ロッドをウィンドウシェードシートに結合することは、煩雑である。
【０００５】
このため、本発明の目的は、ウィンドウシェードシートと引出ロッドとの結合が簡略化された自動車用ウィンドウシェードを提供することである。
【課題を解決するための手段】
【０００６】
本発明によれば、この目的は、請求項１の特徴を有するウィンドウシェードにより実現される。
【０００７】
新規な自動車用ウィンドウシェードでは、ウィンドウシェードシートの一端は、引出ロッドに結合される。引出ロッドは、ウィンドウシェードシートが固定される溝を含む。溝の断面は、ウィンドウシェードシートの対応する端部に設けられた肉厚部の断面に対応する。溝は、実質的に、溝スロットと隣接する溝空間から構成され、溝空間の内寸幅は、実質的に溝スロットよりも大きく、その結果、アンダーカットされた溝が形成される。溝空間の断面は、好ましくは、ウィンドウシェードシートの肉厚部の断面に対応し、例えば、円形に形成される。
【０００８】
引出ロッドは、少なくとも溝の近傍で、その断面が相対する２つの部材に分割される。このため、引出ロッドの各部材は、１つのスリット壁を含み、各引出ロッド部材は、溝空間の壁の一部を保持する。このように、各引出ロッド部材は、少なくともウィンドウシェードシートを固定するための溝については、アンダーカットされていない。
【０００９】
このことは、本質的に、２つの利点を提供する。１つには、金型が射出成形工程中に長いアンダーカットされた溝を形成するための取り出し可能なコアを必要としないので、２つの引出ロッド部材を成形するための射出成形金型が、相対的に簡単な方法で実現可能である。さらに、溝の曲率半径が引出ロッドの長さ全体のわたって変更される場合には、金型からのコアの取り出しは、非常に困難となったであろう。
【００１０】
引出ロッド部材は、固定溝の領域でアンダーカットされていないため、簡単で剛性のある射出成形金型が、引出ロッド部材の成形に使用可能である。
【００１１】
第２の利点は、ウィンドウシェードシートを引出ロッドに簡単に装着できることにある。この点について、引出ロッドは、２つの引出ロッド部材の一方により形成された溝の一部にウィンドウシェードシートの肉厚部を配置するように構成されている。一旦、２つの引出ロッド部材が共に結合されると、上記肉厚部が溝から引き出されることを防止するアンダーカットされた溝が形成される。
【００１２】
この２つの部材の構造は、ウィンドウシェードシートの肉厚部を引出ロッドに長手方向に押し込む工程を省略する。このタイプの結合は、複雑で時間を要する。
【００１３】
新規な引出ロッドにおいて、詳細には、ウィンドウシェードシートの対応する端部が複雑な３次元形状を構成するとき、すなわち、ウィンドウシェードシートの端部がウィンドウシェードの平面だけでなく引き出されたウィンドウシェードシートに垂直な方向に変化する曲率で湾曲する場合にも、引出ロッドとウィンドウシェードシートとの結合を容易に形成することができる。
【００１４】
２つの引出ロッドの相対的に硬い結合は、２つの部材が組み立てられた状態で互いに隣接する結合面を有し、溝から測定された結合面の長さが少なくとも一方の引出ロッド部材の厚さよりも大きい場合に達成される。すなわち、引出ロッドは、横方向ではなく厚さ方向に、２つの引出ロッド部材に分割される。このことは、２つの引出ロッド部材の結合を相対的に安定にする。
【００１５】
この点について、未分割の引出ロッド部材の平滑な側面は、主に露出して見える引出ロッド部材を形成し、一方で他の引出ロッド部材は、ウィンドウシェードが下方から上方へ移動するとき露出して見える引出ロッド部材の下面に配置されることが実用的である。
【００１６】
２つの引出ロッド部材の分割は、一方の引出ロッド部材が他方の引出ロッド部材のアンダーカットされていない溝に挿入されるようにして実現され得る。他の実施形態は、ウィンドウシェードシートを固定するための溝から他の引出ロッド部材の側端まで延びる引出ロッド部材を使用する。後者の例では、安定に保持するために、接合工程中に、金型が必要とされる。金型は、通常、その他の例では必要とされない。
【００１７】
２つの部材が共に接合された後で、これらの部材は、好ましくは、一体に結合される。この一体結合は、接着、超音波溶接またはレーザ溶接により形成可能である。
【００１８】
溝空間は、好ましくは、円形断面を有する。
【００１９】
製造金型をさらに簡略化するために、少なくとも１つの引出ロッド部材の各スロット壁が段差や曲がりのない、溝空間の対応する壁部への滑らかな移行部を形成することが有利である。
【００２０】
ウィンドウシェードシートは、実質的に四辺形または三角形の切断形状を有することができる。
【００２１】
ウィンドウシェードシートは、また、柔軟であってもよく、あるいは、多少剛直であってもよい。
【００２２】
ウィンドウシェードシートの捻れは、ウィンドウシェードシートが引出ロッドに結合される前に、引出ロッドの形状が既に該引出ロッドに固定されるウィンドウシェードシートの端部の形状に対応している場合には、防止可能である。
【００２３】
円柱状の肉厚部は、縫いつけられた縁かがり、充填部材等と縫い合わせられた筒状体により形成され得る。
【００２４】
円柱状の肉厚部は、ウィンドウシェードシートに相対して対称に配置される必要はない。円柱状の肉厚部が、ウィンドウシェードシートの一方の側端にのみ配置されてもよい。
【００２５】
ウィンドウシェードシートの駆動ユニットは、ウィンドウシェードシートが柔軟で相対的に小さい空間に収容可能である場合には、巻取シャフトを含んでもよい。
【００２６】
電気モータが、ウィンドウシェードシートを引き出し、収納するために提供されてもよい。ばねモータに対応して調整された電気モータによりウィンドウシェードシートが一旦引き出されるとウィンドウシェードシートを反対方向に自動的に移動させるために、この電気モータは、好ましくは、ばねモータと協働する。１つの相対的に省スペースの変形例は、巻取シャフトを駆動するばね駆動部を使用する。
【００２７】
柔軟なウィンドウシェードシートを使用する場合には、さらに、案内装置を配置することが実用的である。これらの案内装置は、ウィンドウシェードシートを引っ張られた状態で保持するための曲げまたは座屈に対する十分な抵抗を有する従来の案内レールまたは押棒から構成されてもよい。
【００２８】
本発明のさらなる展開は、従属クレームの対象を構成する。
【００２９】
図面の記載は、また、多数の改良が可能であることを明らかにする。
【発明の効果】
【００３０】
本発明によれば、ウィンドウシェードシートと引出ロッドとの結合が簡略化された自動車用ウィンドウシェードを提供することができる。
【発明を実施するための最良の形態】
【００３１】
本発明にかかる実施形態が、以下の図面を用いて説明される。
【００３２】
図面の記載に従って、「前部」、「後部」、「上部」、「底部」のような方向を示す用語は、例えば「右側」及び「左側」という類似の意味を有する用語と同様に、自動車において慣用的に使用される方向用語に対応する。しかし、ウィンドウシェードシートについては、前端部、後端部という用語は、自動車におけるそれが装着された位置とは関係なく、ウィンドウシェードシート自体を参照する。
【００３３】
図１は、乗用車の部分的に開放された後部を示す。詳細には、この図は、図示しない左内側部と鏡像に形成される右内側部の外観を示す。この図は、模式図であり、補強部材や装着手段は本発明の理解には必要ないので、補強部材や装着手段のような車体の内部構造部材は、図示されていない。
【００３４】
図示された車体部１は、Ｂ−ピラー３がそこから横に延出し、図示しない床部まで下方に延びるルーフ２を含む。対応するＢ−ピラーが、自動車の図示しない側にも配置される。その後端部で、ルーフ２は、後部窓開口部４に移行し、そこに後部窓５が装着される。後部窓開口部４は、Ｃ−ピラー６で横方向に終端し、Ｃ−ピラー６は、Ｂ−ピラー３とは分離されている。右側後部扉７は、従来と同様に、Ｂ−ピラー３とＣ−ピラー６との間でＢ−ピラー３にヒンジにより取り付けられている。
【００３５】
後部シート９及び背もたれ１１から構成される後部座席８は、右側後部扉７の高さに配置される。後部シート９は、床部の一部を形成するベース面１２に載置され、後部シート９の前面のこの床部には、一定容積の足空間１３が存在する。
【００３６】
内装パネル１４は、自動車内部に面する右側後部扉７の内側に配置される。扉把手１５が、この内装パネルに装着され、右側後部扉７のロックを解除するために、上記内装パネルは、凹部に形成された作動ハンドル１７を含む。
【００３７】
内装パネル１４上に、右側後部扉７は、仕切部材１９により２つの部分２１，２２に仕切られた窓開口部１８を含む。部分２２は、概略三角形であり、一方部分２１は、広義には、四辺形である。部分２１は、従来のように、扉内に下降可能な側部窓ガラス２３を含む。２つの部分２１，２２は、窓ガラスガイドとして作用する仕切部材１９により互いに分離されている。
【００３８】
２つの部分２１，２２は、その外側を共通の連続した窓縁部２４により囲まれている。窓縁部２４は、その下端部に、窓縁部２４以外の部分よりも僅かに広い実質的に直線の部分２５を形成する。窓縁部の部分２５は、当該部分の長さ全体にわたって延びるスロット２６を含み、このスロットは、スロット縁部２７により自動車内部に対して境界付けられている。その外側の境界は、窓部２２の縁部とともに窓縁部２３により形成されている。
【００３９】
側部扉７は、図２に詳細に図解される側部窓用ウィンドウシェード２９と共に配置され、ウィンドウシェードシート３１は、図１では部分的に引き出された位置に示され、図２では完全に引き出された位置に示されている。ウィンドウシェードは、客室の後部を横方向の太陽光線から保護するために機能する。ウィンドウシェードシート３１は、窓枠部２１，２２に隣接してまたはその下方に形成されたスロット２６を介して移動する。
【００４０】
側部扉７は、図２では単独で図解される。図２は、扉７の内部シェルに配置された内装パネル１４の一部と共に、ドアの周囲の継ぎ目３２、金属シートからなる扉外部シェル３３の一部を示す。
【００４１】
側部窓用ウィンドウシェード２９は、窓縁部２５下方の扉７の内装パネル１４の背面に支持された巻取シャフト３４を有する。このため、扉７には、筒状の巻取シャフト３４から軸方向に突出する軸受要素３７，３８を収容する２つの別体の軸受箱３５，３６が配置されている。
【００４２】
ウィンドウシェードシート３１は、適当な寸法に切断され、太陽光線から自動車内部領域の後部を十分に遮蔽する柔軟な樹脂製フィルムから構成される。その外形状は、窓開口部１８、即ち、２つの窓開口２１，２２の外形状に対応する。
【００４３】
ウィンドウシェードシート３１は、その駆動方向に形成された直線状の側端部４１、上記端部と平行に延びる直線状の後端部４２、湾曲した上端部４３及び巻取シャフト３４に固定されている図示しない下端部により規定される。この結果、概略台形状のウィンドウシェードシートが形成される。
【００４４】
駆動ユニット４５が、ウィンドウシェードシート３１を引き出しまたは収納するために配置される。この駆動ユニットは、巻取シャフト３４に配置された模式的に示されるばね駆動部４６を有する。ばね駆動部４６の一端は、巻取シャフト３４に固定されている。ばね駆動部の他端は、回転ずれのないに軸受要素３８に結合されている。軸受要素３８は、回転方向の遊びなく軸受箱３５に配置されている。ばね駆動部４６は、巻取シャフト３４上のウィンドウシェードシート３１の巻取方向に付勢力を発生させる。このため、ウィンドウシェードシート３１は、従来と同様に、例えば縁かがりにより巻取シャフト３４に結合されている。
【００４５】
さらに、駆動ユニット４５は、後述するように、ウィンドウシェードシート３１の上端部４３に力を伝達するために結合されたギヤモータ４７を備える。
【００４６】
２つの案内要素ブロック４８，４９が、間隔を置いて配置されるように、巻取シャフト３４下方の右側後部扉７に装着されている。上方への押圧に対して相対的に抵抗する、円柱状で座屈しない作動要素５１，５２が、各案内要素ブロック４８，４９から突出する。作動要素５１，５２の上部自由端は、上端部４３に固定されている。スロット２６を通って上方に延びる作動要素５１，５２の一部は、互いに平行である。
【００４７】
筒状のカバー５３，５４が案内要素ブロック４８，４９から引き出されてギヤモータ４７に至る。このカバーは、座屈することなく該カバー内にスライドする作動要素５１，５２を案内するように作用する。
【００４８】
各作動要素５１，５２は、座屈しない延伸された要素、例えば可撓性のある金属製または樹脂製ワイヤ、ボーデン（Ｂｏｗｄｅｎ）ケーブルの芯または応力を受けたときに座屈しない束ねられたワイヤから構成される。作動要素５１，５２のそれぞれは、その外周面、少なくともモータ側の端部に歯が形成された巻線ワイヤを保持する。この巻線ワイヤは、作動要素５１，５２に堅く結合されている。このタイプの作動要素は、特に窓開閉器において「スーフレックスシャフト」（ＳＵ−ｆｌｅｘ  ｓｈａｆｔ）の名称にて市場で入手可能である。
【００４９】
ギヤモータ４７は、永久励起ＤＣモータから構成される。減速ギヤ５５がこのＤＣモータの出力側に配置される。円柱状のギヤ５６は、減速ギヤ５５の出力シャフトに回転ずれのないように配置され、円柱状のギヤのピッチは作動要素５１，５２のねじやまのピッチに対応する。作動要素５１，５２は、ギヤ５６の対向する側でこれに正接して延びて、その外歯はギヤ５６と噛合する。
【００５０】
これにより、ギヤモータ４７は、作動要素５１，５２と結合されて、ウィンドウシェードシート３１の上端部４３に力を伝達する。
【００５１】
図３に示す模式的な断面によれば、ウィンドウシェードシート３１の上端部４３には、側端部４１と側端部４２との間の上端部のほぼ長さ全体にわたって延びる引出ロッド５７が配置されている。
【００５２】
２つの作動要素５１，５２の領域では、引出ロッド５７には作動要素５１，５２の自由端が挿入されるポケット５８が配置されている。
【００５３】
側部窓用ウィンドウシェード２９の機能を次に述べるが、この説明は図２に示すウィンドウシェードシートの引き出し位置に基づいてなされる。
【００５４】
２つの作動要素５１，５２は、ギヤモータ４７の助けにより延伸され、引出ロッド５７は、窓縁部２４の上端近傍にウィンドウシェードシート３１の上端部４３を移動させる。側部窓用ウィンドウシェード２９の上端と窓縁部２４の上端との間には僅かな隙間のみが残される。窓開口部１８は、ウィンドウシェードシート３１により概略完全に覆われる。
【００５５】
ウィンドウシェードシート３１は、巻取シャフト３４上にウィンドウシェードシート３１を巻き取るばね駆動部４６の助けを借りて引っ張られる。しかし、ばね駆動部４６は、作動要素５１，５２によってそのような動作を妨げられ、作動要素の下端部は、ギヤモータ４７により停止され、その結果、作動要素が、ばね駆動部４６の影響を受けて押し戻される可能性はない。
【００５６】
側部窓用ウィンドウシェード２９を収納するために、各乗員は、対応する回転方向にギヤモータ４７を駆動し、その結果、駆動モータは図の相対的な下方に作動要素５１，５２を引き下げ、ギヤ５５を超えて延びる作動要素の端部は保護管または貯蔵管６５，６６に押し込まれる。
【００５７】
ウィンドウシェードシート３１の上端部４３は、作動要素５１，５２がスロット２６を通って下方に移動すると同時に、下方に移動される。
【００５８】
側部窓用ウィンドウシェード２９は、逆のシーケンスで引き出される。
【００５９】
図４は、拡大された断面形態の引出ロッド５７を示す。引出ロッド５７が、上部引出ロッド部材５９と下部引出ロッド部材６０からなる積層構造を有することが理解され得る。断面形態でみると、引出ロッド５７は、概略矩形状であり、窓に面する狭い前方端６１、広い上端６２、乗用車内部に面する狭い側端６４及び広い下端６５により画定される。
【００６０】
引出ロッド５７の断面は、２つの引出ロッド部材５９，６０が、アンダーカットされた溝６６を規定し、その中にウィンドウシェードシート３１の上端部が固定されている。ウィンドウシェードシート３１の上端部には、このために、例えば縫い付けられた縁かがりの形態の、円形断面を有する肉厚部が形成されている。
【００６１】
アンダーカットされた溝６６は、溝空間６８と溝スロット６９から構成される。溝スロット６９は、互いに対向する２つのスロット壁７０，７１により規定される。スロット壁の内側縁部では、２つのスロット壁７０，７１が溝空間６８を画定する壁７２に移行する。
【００６２】
溝空間６８は、概略円形の断面を有し、肉厚部６７の形状に対応するように形成されている。２つのスロット壁７０，７１は、互いに平行に延びて、スロット壁７０は、図示するように、溝空間６８の円形断面に正接して移行する。このため、移行部は、段差や曲がりがない。
【００６３】
上部引出ロッド部材５９と下部引出ロッド部材６０とは、２つの実質的に直線状の接合面７３により結合される。接合面７３は、溝空間６８から引出ロッド５７の内側の狭小な端部６４まで延びる。さらに、接合面７３は、引出ロッド５７の長さ全体にわたって延びる。別の観点では、接合面７３は、概略、溝空間６８の直径の延長部に延びて、壁７２の一部は下部引出ロッド部材６０に形成され、当該壁の他の部分は上部引出ロッド５９に形成されている。接合面７３は、概略、上端６２と下端６５の中央に形成されている。結果的に、各引出ロッド部材５９，６０は、引出ロッド部材５７の半分の厚さであり、広い接合面が形成されている。
【００６４】
スロット壁７０は、上部引出ロッド部材５９の一部を形成し、スロット壁７１は、下部引出ロッド部材６０の一部を形成する。このように２つの引出ロッド部材に分割するために、上部引出ロッド部材５９は、側面から見たとき、概略Ｌ字形状を有し、スロット壁７０と共に壁６８の一部が内側隅部に配置されている。対照的に、下部引出ロッド部材６０は、概略矩形状であり、内側隅部は、凹状であり、接合された状態で溝空間６８を画定する。
【００６５】
溝６６は、アンダーカットされた溝ではあるが、図４から、それぞれの引出ロッド部材５９，６０は、少なくとも溝６６の領域ではアンダーカットされていないことが認識可能であり、これにより、溝６６の壁７２とスロット壁７０，７１とを形成するための取り出しコアを必要としない金型で上部引出ロッド部材５９と下部引出ロッド部材６０とを射出成形することが可能となる。図１及び図２に示すように、本発明は、複雑に曲がった輪郭、即ち、３次元曲線に従い、その曲率半径が上端部４３に沿って変更される輪郭を有する引出ロッドを製造することを可能にする。
【００６６】
上述したポケット５８は、下部引出ロッド部材６０に形成されてもよい。
【００６７】
初めに肉厚部を上部引出ロッド部材５９の内側隅部に配置した後、正確な位置に配置することにより、引出ロッド５７は、ウィンドウシェードシート３１の上端部４３に結合される。上端部４３が縁かがり等の肉厚部６７により固定されるため、このことは比較的簡単な工程である。このように上端部４３を配置した後、下部引出ロッド部材６０の接合面７３は、上部引出ロッド部材５９の接合面７３に当接される。そして、２つの引出ロッド部材５９，６０は、接合面７３の領域の少なくとも一定の位置において好適な方法で、一体に接合される。
【００６８】
レーザ溶接、超音波溶接または接着剤が、この結合を形成するために使用可能である。必要な場合には、下端６５からレーザ溶接によりこの結合を形成するために、ポケット５８と類似の凹部が下部引出ロッド部材６０に形成されてもよい。
【００６９】
その代わりに、２つの引出ロッド部材５９，６０をスナップイン結合、クリップ結合により互いに結合することも可能であろう。取り出しコアがクリップ用の非常に小さいアンダーカットを形成するために容易に使用可能であるので、この結合形成は、非常に複雑ではない。
【００７０】
図４の実施形態では、２つの引出ロッド部材５９，６０は、実質的に、一方が他方の上面に積層されている。互いに結合された引出ロッド部材が相互に相対してスライドすることを防止するため、協働するピンとアンダーカットのない開口が、２つの接合面７３の領域に形成されてもよい。
【００７１】
図５は、下部引出ロッド部材６０が溝空間６８から後端または内側の側端６４に上部引出ロッド部材５９の幅を超えて延びない実施形態を示す。この場合、上部引出ロッド部材５９は、他の溝形状の凹部７４を含み、この凹部は、溝６６に隣接して、引出ロッド５７の長手方向に連続して延びて、上記溝形状の凹部は、表面７５と、表面７５に実質的に垂直に延びる表面７６により規定される。下部引出ロッド部材６０には、図示するようにこの溝形状の凹部７４が形成され、上部引出ロッド部材５９の接合面７３は、溝形状の凹部７４の接合面７５に合致し、下部引出ロッド部材６０の元の狭い側端６４は表面７５に隣接する。
【００７２】
別の観点では、図４及び図５に示された２つの実施形態は、実質的に同一である。
【００７３】
新規な引出ロッドが、当該引出ロッドに結合されるウィンドウシェードシートの上端部が複雑に曲がっている側部窓用ウィンドウシェードと共に上述された。言うまでもなく、２つの引出ロッド部材は、ウィンドウシェードシートの直線状の上端部または前方端を有するウィンドウシェード装置についても有利に使用可能である。この場合、引出ロッドをウィンドウシェードシート上に装着することは相対的に複雑ではないであろうが、２つの部材からなる構造は、製造工程に関し、多くの利点を提供する。
【００７４】
後部窓用ウィンドウシェードには、ウィンドウシェードシートの一端に引出ロッドが配置される。引出ロッドは、該引出ロッドをウィンドウシェードシート上に装着するためのアンダーカットされた溝を含む。引出ロッドの製造とウィンドウシェードシートへの装着とを簡略化するために、引出ロッドは２つの部材から構成され、各部材は装着溝の一部を含む。各引出ロッド部材自体は、溝領域ではアンダーカットされていない。
【図面の簡単な説明】
【００７５】
【図１】右側後部扉の内側の方向にみた、乗用車の前部領域の部分的な斜視図である。
【図２】図１に示す右側後部扉の部分な断面図を示す、模式的な斜視図である。
【図３】図２の側部窓用ウィンドウシェードシートの前端部の正面図である。
【図４】図２に示すウィンドウシェードの引出ロッドの拡大された断面図である。
【図５】図４に示す引出ロッドと類似の引出ロッドの他の実施形態を示す断面図である。
【符号の説明】
【００７６】
２９  側部窓用ウィンドウシェード
３１  ウィンドウシェードシート
４５  駆動ユニット
４６  ばね駆動部
４７  ギヤモータ
５１  作動要素
５２  作動要素
５７  引出ロッド
５９  上部引出ロッド部材
６０  下部引出ロッド部材
６６  溝
６７  肉厚部
６９  溝スロット
７０  スロット壁
７１  スロット壁
７２  壁
７３  接合面
７４  凹部
【図１】
0004694170.tif 000002
【図２】
0004694170.tif 000003
【図３】
0004694170.tif 000004
【図４】
0004694170.tif 000005
【図５】
0004694170.tif 000006